(57)【要約】  【課題】４つの吸引式電極用となる４本のコード本体を一体化しつつ、その曲げ方向についてより自由度を高めることのできるようにする。  【解決手段】低周波治療器１００と吸引式電極２とを接続する接続コードＳは、４本のコード本体１Ａ〜１Ｄを有する。コード本体１Ａ〜１Ｄは、それぞれ可撓性および絶縁性を有する筒状とされて、内部の中空部１ａが負圧伝達用とされると共に、中空部１ａ内に電気信号線３が配設される。４本のコード１Ａ〜１Ｄを、横２列・縦２列に配設した状態で、４本のコード１Ａ〜１Ｄが、連結部１０により互いに連結、一体化される。連結部１０は、４本のコード本体１Ａ〜１Ｄと一体成形されていて、手指によって外力を加えることにより容易に破断される。４本のコード本体１Ａ〜１Ｄの長手方向各端部では、連結部１０を破断することにより、個々独立した４本のコード本体１Ａ〜１Ｄに分離さる。【選択図】  図２
2016063913.tif 000002
【特許請求の範囲】
【請求項１】
低周波治療器と吸引式電極とを接続する接続コードであって、
それぞれ可撓性および絶縁性を有する筒状とされて、内部の中空部が負圧伝達用とされた４本のコード本体と、
前記各コード本体における前記中空部内に配設され、電気信号を伝達するための電気信号線と、
前記４本のコードを、横２列・縦２列に配設した状態で、該４本のコードを互いに連結して一体化する連結部と、
を有し、
前記連結部は、前記４本のコード本体と一体成形されていて、手指によって外力を加えることにより容易に破断されるように設定され、
前記連結部によって一体化された４本の前記コード本体の長手方向各端部では、該連結部を破断することにより個々独立した４本のコード本体に分離されている、
ことを特徴とする低周波治療器における吸引式電極用の接続コード。
【請求項２】
請求項１において、
前記４本のコード本体の各中心を縦・横に結ぶ線が、略正方形となるように設定されている、ことを特徴とする低周波治療器における吸引式電極用の接続コード。
【請求項３】
請求項１または請求項２において、
前記連結部が、横方向に並ぶ２本の前記コード本体の最近接部同士を連結する上下一対の横連結部と、縦方向に並ぶ２本の該コード本体の最近接部同士を連結する左右一対の縦連結部と、を有している、ことを特徴とする低周波治療器における吸引式電極用の接続コード。
【請求項４】
請求項１ないし請求項３のいずれか１項において、
前記４本のコード本体はそれぞれ円筒状とされている、ことを特徴とする低周波治療器における吸引式電極用の接続コード。
【請求項５】
請求項１ないし請求項４のいずれか１項において、
前記連結部には、前記４本のコード本体を個々に分離させる位置に対応させて、部分的に肉薄とされた弱化部が形成されている、ことを特徴とする低周波治療器における吸引式電極用の接続コード。
【請求項６】
請求項１ないし請求項５のいずれか１項において、
前記コード本体および前記連結部が、シリコンゴムまたは熱可塑性樹脂によって形成されている、ことを特徴とする低周波治療器における吸引式電極用の接続コード。
【請求項７】
請求項１ないし請求項６のいずれか１項において、
前記低周波治療器が、１組目用となる２個一対となる吸引式電極と２組目用となる２個一対の吸引式電極との合計４個の吸引式電極を使用する干渉低周波治療のための電気信号を出力可能とされ、
前記４本のコード本体のうち少なくとも吸引式電極側の端部が、前記１組目用の２個一対の吸引式電極用と前記２組目用の２個一対の吸引式電極用とで２つに分離された後、さらにその端部側において４本に分離されている、
ことを特徴とする低周波治療器における吸引式電極用の接続コード。
【請求項８】
請求項７において、
前記４本のコード本体の一方側端部にそれぞれ、低周波治療器に着脱自在に接続される第１接続プラグが接続され、
前記４本のコード本体の他方側端部にそれぞれ、吸引式電極に着脱自在に接続される第２プラグが接続され、
前記第１接続プラグと前記第２接続プラグとは、前記１組目用が互いに同一の色で、かつ前記第２組目用が互いに同一の色となるように設定しつつ、該１組目用と該２組目用とでは互いに異なる色となるように色分けされている
ことを特徴とする低周波治療器における吸引式電極用の接続コード。
【請求項９】
請求項７または請求項８において、
前記１組目用となるコード本体の外周にその長手方向に延びる凸条が形成される一方、前記２組目用となるコード本体の外周には前記凸条が形成されていない、ことを特徴とする低周波治療器における吸引式電極用の接続コード。
【発明の詳細な説明】
【技術分野】
【０００１】
本発明は、低周波治療器、特に干渉低周波治療器に用いて好適な吸引式電極用の接続コードに関するものである。
【背景技術】
【０００２】
低周波治療器（本体）と吸引式電極とを接続するコードは、可撓性および絶縁性を有する筒状のコード本体内の中空部を負圧伝達用の通路としつつ、この中空部内に電気信号を伝達するための電気信号線を配設したものとなっている。そして、コード本体の一端部には、低周波治療器に着脱自在に接続される第１接続プラグが接続される一方、コード本体の他端部には、吸引式電極に着脱自在に接続される第２接続プラグが接続される。
【０００３】
一方、低周波治療器の中には、特許文献１に示すように、周波数が若干相違する２つの高周波電気信号の干渉（差分）により、低周波成分での刺激を与えることのできる干渉低周波治療器がある。この干渉低周波治療器にあっては、２個一対となる吸引式電極を２組使用する（合計４個の吸引式電極を使用する）２極干渉用が一般的である。
【０００４】
２極干渉低周波治療を行うための低周波治療器にあっては、４個の吸引式電極を用いることから、４本の接続コードが用いられる。そして、４本の接続コードを、その取り扱いが容易となるように、その端部を除いて互いに一体化したものがある。４本の接続コードを一体化した従来のものは、接続コード（コード本体）を互いに一直線上に横並びにして、隣り合うコード本体同士を、手指によって容易に破断できる連結部によって連結したものとなっていた。
【先行技術文献】
【特許文献】
【０００５】
【特許文献１】特開２００８−０３６４４８号公報
【発明の概要】
【発明が解決しようとする課題】
【０００６】
前述したように、４本の接続コードを横並びに一体化したものは、各接続コードの中間部同士が絡み合わないようにするという点では好ましいものであるが、横並び方向と直交する方向（Ｘ軸方向という１次元的な方向）にしか曲げ変形させることができないものとなっていた。このため、非使用時おいて接続コードを所望方向へ曲げて収納しようとしたときや、患者の治療部位に応じて接続コードをある所望方向に曲げようとしても、曲げ可能な方向が特定の一定方向（Ｘ軸方向のみ）のみとなるため、所望方向へ曲げることができず、その取り扱いが面倒になる等の問題を有するものとなっていた。
【０００７】
本発明は以上のような事情を勘案してなされたもので、その目的は、４本の接続コードつまりコード本体を一体化しつつ、その曲げ方向についてより自由度を高めることのできるようにした低周波治療器における吸引式電極用の接続コードを提供することにある。
【課題を解決するための手段】
【０００８】
前記目的を達成するため、本発明にあっては次のような第１の解決手法を採択してある。すなわち、特許請求の範囲における請求項１に記載のように、
低周波治療器と吸引式電極とを接続する接続コードであって、
それぞれ可撓性および絶縁性を有する筒状とされて、内部の中空部が負圧伝達用とされた４本のコード本体と、
前記各コード本体における前記中空部内に配設され、電気信号を伝達するための電気信号線と、
前記４本のコードを、横２列・縦２列に配設した状態で、該４本のコードを互いに連結して一体化する連結部と、
を有し、
前記連結部は、前記４本のコード本体と一体成形されていて、手指によって外力を加えることにより容易に破断されるように設定され、
前記連結部によって一体化された４本の前記コード本体の長手方向各端部では、該連結部を破断することにより個々独立した４本のコード本体に分離されている、
ようにしてある。
【０００９】
上記解決手法によれば、４本のコード本体を横２列・縦２列に配設された状態で一体的に連結された接続コードは、横方向および縦方向の両方向へ曲げ変形を容易に行うことができ、さらにこの横方向および縦方向と交差する斜め方向にも少なからず曲げ変形を行うことが可能となる。これにより、収納時や治療部位等に応じて接続コードを所望方向に曲げることが可能となって、その取り扱いが容易となる。勿論、連結部は、手指によって破断することができるので、４本のコード本体の各端部を個々独立して分離した状態を容易に得て、低周波治療器への接続や吸引式電極への接続を行う上でも好適である。
【００１０】
上記解決手法を前提とした好ましい態様は、特許請求の範囲における請求項２以下に記載のとおりである。すなわち、
前記４本のコード本体の各中心を縦・横に結ぶ線が、略正方形となるように設定されている、ようにしてある（請求項２対応）。この場合、横方向と縦方向とでの曲げ変形の容易性を互いに等しくしたり、４本のコード本体の占める断面積を極力小さくする等の上で好ましいものとなる。
【００１１】
前記連結部が、横方向に並ぶ２本の前記コード本体の最近接部同士を連結する上下一対の横連結部と、縦方向に並ぶ２本の該コード本体の最近接部同士を連結する左右一対の縦連結部と、を有している、ようにしてある（請求項３対応）。この場合、４本のコード本体を任意の１本毎に分離できるようにしつつ、連結部の長さを極力短くして、分離したときに破断された連結部がコード本体の外方側に大きく突出してしまう事態を防止あるいは低減する等の上で好ましいものとなる。
【００１２】
前記４本のコード本体はそれぞれ円筒状とされている、ようにしてある（請求項４対応）。この場合、コード本体として一般的でかつ任意の方向に曲げ変形可能な円筒状として、１本に分離された状態において、低周波治療器への接続や吸引式電極への接続を容易にする等の上で好ましいものとなる。
【００１３】
前記連結部には、前記４本のコード本体を個々に分離させる位置に対応させて、部分的に肉薄とされた弱化部が形成されている、ようにしてある（請求項５対応）。この場合、弱化部を利用して、連結部をより容易に破断することができる。
【００１４】
前記コード本体および前記連結部が、シリコンゴムまたは熱可塑性樹脂によって形成されている、ようにしてある（請求項６対応）。この場合、コード本体を、可撓性と絶縁性とを十分に備えたものとする上で好ましいものとなる。
【００１５】
前記低周波治療器が、１組目用となる２個一対となる吸引式電極と２組目用となる２個一対の吸引式電極との合計４個の吸引式電極を使用する干渉低周波治療のための電気信号を出力可能とされ、
前記４本のコード本体のうち少なくとも吸引式電極側の端部が、前記１組目用の２個一対の吸引式電極用と前記２組目用の２個一対の吸引式電極用とで２つに分離された後、さらにその端部側において４本に分離されている、
ようにしてある（請求項７対応）。この場合、４本のコード本体を、２個一対となる組別にまず分離させておくことにより、使用者は、２個一対となるコード本体（つまりこれに接続される吸引式電極）について、２個一対の関係にあるコード本体（つまり吸引式電極）を明確に識別する等の上で好ましいものとなる。
【００１６】
前記４本のコード本体の一方側端部にそれぞれ、低周波治療器に着脱自在に接続される第１接続プラグが接続され、
前記４本のコード本体の他方側端部にそれぞれ、吸引式電極に着脱自在に接続される第２プラグが接続され、
前記第１接続プラグと前記第２接続プラグとは、前記１組目用が互いに同一の色で、かつ前記第２組目用が互いに同一の色となるように設定しつつ、該１組目用と該２組目用とでは互いに異なる色となるように色分けされている
ようにしてある（請求項８対応）。この場合、色を利用して、２個一対となる接続プラグをより明確に識別させる上で好ましいものとなる。
【００１７】
前記１組目用となるコード本体の外周にその長手方向に延びる凸条が形成される一方、前記２組目用となるコード本体の外周には前記凸条が形成されていない、ようにしてある（請求項９対応）。この場合、コード本体の外周に凸条を有するか否かを確認することにより、互いに組みとなるコード本体同士を明確に識別することができる。
【発明の効果】
【００１８】
本発明によれば、４本のコード本体をその端部を除いて一体化しつつ、曲げ変形可能な方向についての自由度を高めることができる。
【図面の簡単な説明】
【００１９】
【図１】患者への吸引式電極の装着例とその接続コードを示す簡略斜視図。
【図２】４本のコード本体が一体化された状態での接続コードの端部を示す拡大斜視図。
【図３】４本のコード本体が一体化された状態での接続コードの端部を示す拡大正面図。
【図４】４本のコード本体が一体化された状態での接続コードの端部を示す拡大平面図。
【図５】４本のコード本体が一体化された状態での接続コードの端部を示す拡大側面図。
【図６】図４のＸ６−Ｘ６線相当断面図。
【図７】図６を拡大した断面図。
【図８】図６のＸ８−Ｘ８線相当断面図。
【図９】図６のＸ９−Ｘ９線相当断面図。
【図１０】各コード本体の端部に接続プラグを接続した状態を示す図。
【図１１】コード本体が４本に分離された状態で吸引式電極へ接続されている状態を示す図。
【図１２】コード本体が４本に分離された状態で低周波治療器へ接続されている状態を示す図。
【図１３】２本一対のコード本体がさらに分離されるのを防止する分離防止具の一例を示す断面図。
【図１４】連結部の第１の変形例を示す拡大断面図。
【図１５】連結部の第２の変形例を示す拡大断面図。
【図１６】連結部の第３の変形例を示す拡大断面図。
【図１７】連結部の第４の変形例を示す拡大断面図。
【図１８】低周波治療器の一例を示す前方斜視図。
【図１９】図１８に示す低周波治療器の後方斜視図。
【図２０】図１８に示す低周波治療器の正面図。
【図２１】図１８に示す低周波治療器の平面図。
【図２２】図１８に示す低周波治療器の底面図。
【図２３】図１８に示す低周波治療器の左側面図。
【図２４】図１８に示す低周波治療器の右側面図。
【図２５】図１８に示す低周波治療器の背面図。状態を示す要部平面図。
【発明を実施するための形態】
【００２０】
図１において、Ｓは本発明による接続コードであり、４本のコード本体１〜１Ｄを有している。また、図１中、２Ａ〜２Ｄは、吸引式電極である。この吸引式電極２Ａ〜２Ｄに対して、各コード本体１Ａ１〜１Ｄの一端部に接続された接続プラグ（第２接続プラグ）２２が、着脱自在に接続されている。なお、以下の説明で、各コード本体１Ａ〜１Ｄを区別する必要のないときは、コード本体を単に符号「１」でもって示すこともある。同様に、各吸引式電極２Ａ〜２Ｄを区別する必要のないときは、吸引式電極を単に符号「２」でもって示すこともある。
【００２１】
図１中、各コード本体１は、後述するように、負圧伝達機能と電気信号伝達機能とを有する。接続コードＳつまり４本のコード本体１Ａ〜１Ｄを利用して、各吸引式電極２Ａ〜２Ｄが低周波治療器（低周波治療器本体で、図１では図示略）に接続される。
【００２２】
次に、図２〜図７を参照しつつ、接続コードＳの詳細について説明する。まず、各コード本体１は、可撓性および絶縁性を有する材料（実施形態ではシリコンゴムを用いてあるが、例えばポリ塩化ビニル樹脂等の熱可塑性樹脂を使用する等、その材料は特に限定されないものである）によって、円筒状に形成されており、その長さは、接続コードとして一般的な２ｍ程度とされている。各コード本体１内の中空部１ａは、低周波治療器からの負圧を伝達するための通路とされる。すなわち、低周波治療器からの負圧が、中空部１ａを通して吸引式電極２内に伝達されて、吸引式電極１が負圧によって患者体表面に吸着されることになる。なお、各コード本体１Ａ〜１Ｄの直径、長さ等は、互いに等しくされている。
【００２３】
コード本体１内の中空部１ａ内には、電気信号線３が配設されている。この電気信号線３は、治療用の電気信号を伝達するためのものである。すなわち、低周波治療器からの電気信号が、電気信号線３を介して、吸引式電極２内の電極（図示略）に伝達されて、患者体表面に印加されることになる。
【００２４】
それぞれ円筒状（断面円環状）とされた４本コード本体１Ａ〜１Ｄは、横２列・縦２列に配設された状態で、互いに一体化されている。そして、各コード本体１Ａ〜１Ｄの中心が、略正方形（実施形態では正方形そのもの）の４隅（頂点）に位置するように位置設定されている。つまり、各コード本体１Ａ〜１Ｄの横方向間隔および縦方向間隔は互いに等しく設定されている。
【００２５】
図３、図６、図７に示すように、コード本体１Ａと１Ｂとが横２列に配設され、その下方に、コード本体１Ｃと１Ｄとが横２列に配設されている。換言すれば、コード本体１Ａの下方にコード本体１Ｃが位置され、コード本体１Ｂの下方にコード本体１Ｄが位置されている。
【００２６】
４本のコード本体１Ａ〜１Ｄは、連結部１０によって連結されている。連結部１０は、横方向および縦方向に隣り合うコード本体１同士を、最近接距離の位置でもって連結している。具体的には、コード本体１Ａと１Ｂとが、横方向に延びる第１横連結部１０Ａによって連結されている。コード本体１Ｃと１Ｄとが、横方向に延びる第２横連結部１０Ｂによって連結されている。コード本体１Ａと１Ｃとが、縦方向に延びる第１縦連結部１０Ｃによって連結されている。コード本体１Ｂと１Ｄとが、縦方向に延びる第２縦連結部１０Ｄによって連結されている。
【００２７】
連結部１０（各連結部１０Ａ〜１０Ｄ）は、それぞれコード本体１Ａ〜１Ｄと一体成形されている（例えば押し出し成形）。
【００２８】
各コード本体１Ａ〜１Ｄ内に配設された電気信号線３は、中空部１ａの直径よりも十分小さくされて、電気信号線３の周囲において、負圧伝達用の通路（空間）が十分に確保されるようになっている。なお、電気信号線３そのものは、従来と同様に、絶縁材により被覆された銅線等により構成されて、十分な可撓性を有しているものである。
【００２９】
接続コードＳ、つまり連結部１０（１０Ａ〜１０Ｄ）によって一体化された４本のコード本体１は、図３の実線矢印で示すように、横方向および縦方向に十分に（容易に）曲げ変形させることが可能である。同様に、図３一点鎖線矢印で示すように、横方向および縦方向と交差する斜め方向へも曲げ変形させることが可能となる。このように、接続コードＳは、横方向および縦方向に十分に曲げ変形可能で、斜め方向にもそれなりの曲げ変形が可能となり、事実上、断面視において３６０度方向に任意に曲げ変形させることが可能となる。
【００３０】
図１０、図１２に示すように、各コード本体１の一端部には、低周波治療器への着脱自在な接続用となる第１接続プラグ２１が接続（取付け固定）されている。また、各コード本体１の他端部には、図１０、図１１に示すように、吸引式電極２への着脱自在な接続用となる第２接続プラグ２２が接続（取付け固定）されている。各接続プラグ２１、２２は、負圧伝達機能と電気信号伝達機能とを有しており、従来と同様のものをそのまま用いることができる。
【００３１】
ここで、実施形態では、接続コードＳは、２極干渉低周波治療を行うのに好適な設定となっている。すなわち、２個一対となる吸引式電極２の２組分に対応して、１組目のコード本体を例えば１Ａと１Ｃとし、２組目のコード本体を１Ｂと１Ｄとする。この場合、接続コードＳは、その端部において、まず、上記各組別となるように２つに分離される。すなわち、図１３に示すように、２つの横連結部１０Ａと１０Ｂとが破断されて、１組目のコード本体１Ａと１Ｃとが第１縦連結部１０Ｃによって連結されると共に、２組目のコード本体１Ｂと１Ｄとが第２縦連結部１０Ｄによって連結された状態とされる。
【００３２】
上記のようにして、２組に分離されたコード本体１Ａ〜１Ｄは、さらにその端部側において、個々独立した４本のコード本体として４つに分離されている。なお、コード本体１Ａ〜１Ｄが４つに分離された状態の長さは、例えば２０〜３０ｃｍ程度とされ、図１３に示すように２組に分離された状態は例えば１０〜２０ｃｍ程度とされる。このような接続コードＳの端部側での分離態様は、低周波治療器への接続側端部においても同じであるが、２組に分離されている長さおよび４つに分離されている長さは、吸引式電極２への接続側端部における対応部分よりも短くされている（患者体表面に装着されるときの吸引式電極２Ａ〜２Ｄ間の間隔が大きい場合に対応できるようにするため）。
【００３３】
ここで、コード本体１が２本で一体化されて２組に分離された状態から、その基端部側が不用意に４本に個々独立して分離されてしまう事態を防止するために、例えば図１３（図１０、図１１をも参照）に示すように、分離防止具３０を用いるのが好ましい。分離防止具３０は、例えば合成樹脂によって形成されて、左右に隣り合うようにして２つの収納部３１、３２を有する。収納部２１と３２との間は、隔壁部３３とされている。収納部３１は、一側面に開口された開口部３１ａを有し、収納部３２は、他側面に開口された開口部３２ａを有する。互いに連結された例えば２本のコード本体1Ａと1Ｃとが、弾性変形されつつ開口部３１ａを通して収納部３１内に収納される。同様に、互いに連結された例えば２本のコード本体1Ｂと1Ｄとが、弾性変形されつつ開口部３２ａを通して収納部３２内に収納される。このような分離防止具３０によって、互いに一体化された２本のコード本体１が、不用意にさらに分離されてしまう事態が防止される。
【００３４】
ここで、図１３に示すように、２個一対となる１組目のコード本体を例えば１Ａと１Ｃとし、２組目のコード本体を１Ｂと１Ｄとした場合を想定する。各コード本体１Ａ〜１Ｄは互いに同一の色とされている。そして、２個一対の１組目のコード本体１Ａ、１Ｃ用の各接続プラグ２１、２２は互いに同一の色（例えばオレンジ色）とされている。同様に、２個一対となる２組目のコード本体１Ｂと１Ｄ用の各接続プラグ２１、２２は互いに同一の色（例えば白色）とされている。そして、１組目用の接続プラグ２１、２２の色と、２組目用の接続プラグ２１、２２の色は、互いに相違（色分け）されている。これにより、２個一対の関係となるコード本体１同士（つまりこれに接続される吸引式電極２同士）の関係が明確に識別されることになる。
【００３５】
干渉低周波治療の際には、図１に例示するように、４つの吸引式電極２Ａ〜２Ｄを、平面視した際に、２個一対となる１組目の吸引式電極２Ａと２Ｃとを結ぶ線に対して、２組目の吸引式電極２Ｂと２Ｄとを結ぶ線が交差するように配設される。１組目の吸引式電極２Ａと２Ｃには第１の高周波電気信号が印加され、２組目の吸引式電極２Ｂと２Ｄとには第２の高周波電気信号が印加される。第１の高周波電気信号と第２の高周波電気信号との差分の周波数が低周波となるように設定されて、干渉低周波治療が行われる。なお、１組目の吸引式電極２Ａと２Ｃとにより通常の低周波電気信号による治療を行いつつ、２組目の吸引式電極２Ｂと２Ｄとにより別の部位について通常の低周波伝金信号による治療を行うこともできる。いずれにしても、２個一対となる吸引式電極２同士を、上述した接続プラグ２２の色分けによって識別することができる。
【００３６】
図１４〜図１７は、それぞれ、連結部１０の変形例を示すものである。すなわち、図１４における第１の変形例では、図６、図７に示すような態様において、縦横の各連結部１０Ａ〜１０Ｄの中間部においてそれぞれ、薄肉となるように弱化部としての切欠部１１を形成してある。これにより、各連結部１０Ａ１〜１０Ｄを、切欠部１１の位置でもって容易かつ確実に破断させることができる。
【００３７】
また、図１４の変形例では、２本一対で組となるコード本体１同士を明確に識別できるように、２本のコード本体１（実施形態では１Ｂと１Ｄ）の外周に、その長手方向全長に亘って延びる凸条１２を形成してある。これに対して、残る２本のコード本体１（実施形態では１Ａと１Ｃ）とには、上記凸条１２を形成しないようにしてある。これにより、接続コードＳの端部を４本に分離したときに、例えば第１組目となるコード本体１（例えば１Ａと１Ｃ）と、第２組目となるコード本体１（例えば１Ｂと１Ｄ）とを明確に識別することができる。また、コード本体１が４本が一体化された状態で、２組に分離する際に、分離位置を明確に認識させる上で好ましいものとなる。このような凸条１２は、前記実施形態や、後に説明する多の変形例においても同様に適用することができる。なお、凸条１２は、コード本体１の外周のうち、４本に一体化された状態で側面から目視できる部分に形成する等、適宜の部位に形成することができる。
【００３８】
図１５に示す第２の変形例では、連結部１０に対応した連結部５０が、断面十字形状として、十字形状の各先端部に、コード本体１Ａ〜１Ｄを個々別々に連結するようにしてある。より具体的には、互いに交差して十字形状を形成する２つの直線部分によって、斜めに位置する関係となる２つのコード本体１同士を連結するようにしてある。
【００３９】
図１６に示す第３の変形例では、連結部１０に対応した連結部６０が、上下方向に延びる縦壁部６０ａと、縦壁部６０ａの上部から左右に短く斜めに延びる左右一対の上枝部６０ｂ、６０ｃを有し、この上枝部６０ｂ、６０ｃにコード本体１Ａあるいは１Ｂが連結されている。また、縦壁部６０ａの下部から左右に短く斜めに延びる左右一対の下枝部６０ｄ、６０ｅを有し、この下枝部６０ｄ、６０ｅにコード本体１Ｃあるいは１Ｄが連結されている。本変形例の場合は、縦壁部６０ａの上下方向中間位置を破断することにより、２個一対となる２組のコード本体１に分離するのが好ましい。
【００４０】
図１７に示す第４の変形例では、連結部１０に対応した連結部７０が、各コード本体１Ａ〜１Ｄの外周面をあたかも取り巻くように連結して、連結部７０を含む断面形状（の外殻）が、角部分が円弧状に丸められた正４角形を形成するようになっている。本変形例の場合、外周面には凹部等の溝が形成されることなく、あたかも４角形のコードのように見えて、外観上の見栄えが極めてよいものとなる。
【００４１】
図１８〜図２５は、干渉低周波治療のための電気信号を出力可能な低周波治療器の一例を示すものであり、以下この低周波治療器について簡単に説明する。まず、１００は、低周波治療器の本体である。この本体１００の正面上部には、ボリューム（出力電圧調整）や出力値の表示面等を有する操作面部１０１とされている。本体１００の上下方向中間部には、左右に分かれて、２つの出力部１０２が位置設定されている。各出力部１０２は、左右合計で、２極干渉低周波治療が同時かつ個別に６カ所行えるように、合計１２個の出力端子が設けられている（出力端子数＝２極×６カ所＝１２個）。なお、操作面部１０１は、上方に向かうにつれて徐々に後方に位置するように傾斜されて、操作や目視し易いものとされている。また、出力部１０２は、下方に向かうにつれて側側に後方に位置するように傾斜されて、出力部１０２に接続された際のコード本体１に無理な曲げ力が極力作用しないようにされている。
【００４２】
本体１００には、操作面部１０１の若干下方位置において、吸引式電極を載置するための電極載置トレー１１０（お皿あるいは台）が設けられている。この電極載置トレー１１０は、隔壁部１１０ａによって左右の載置面１１０ｂと１１０ｃとに２分されている。左側の載置面１１０ｂに、左側の出力部１０２に接続されるべき吸引式電極２が載置される（左右方向４列で、奥行き方向３列の合計１２個の吸引式電極２が載置可能）。同様に、右側の載置面１１０ｃに、右側の出力部１０２に接続されるべき吸引式電極２が載置される（左右方向に４列で、奥行き方向３列の合計１２個の吸引式電極２が載置可能）。
【００４３】
電極載置トレー１１０の下面には、細い金属棒を曲げ加工する等により、ほぼ水平方向に延びる左右一対のコード保持部１２０が設けられている。図１８、図２４等に示すように、電極載置トレー１１０に載置された吸引式電極２と出力部１０２とを接続する接続コードＳは、その中間部が保持部１２０に支承されて、床面等に接触してしまう事態が防止される。
【００４４】
以上実施形態について説明したが、本発明は、実施形態に限定されるものではなく、特許請求の範囲の記載された範囲において適宜の変更が可能であり、例えば次のような場合をも含むものである。各コード本体１Ａ〜１Ｄは、円筒形（断面円環状）とすることなく、例えば正４角筒にする等、適宜の形状とすることができる。また、例えば図６、図１４〜図１６の各場合において、４本のコード本体１と連結部１０（５０、６０）との一体化物を、外殻形状が正四角形となる筒体で被覆するようにしてもよい。低周波治療器（の本体１００）としては、実施形態に示すものに限らず、従来の低周波治療器をそのまま用いる等、適宜のものを使用できる。また、低周波治療器としては、通常の低周波治療のみを行うことができる一方、干渉低周波治療を行えないものであってもよい。勿論、本発明の目的は、明記されたものに限らず、実質的に好ましいあるいは利点として表現されたものを提供することをも暗黙的に含むものである。
【産業上の利用可能性】
【００４５】
本発明は、低周波治療器と吸引式電極とを接続する接続コードとして好適である。
【符号の説明】
【００４６】
Ｓ：接続コード
１（１Ａ〜１Ｄ）：コード本体
１ａ：中空部
２（２Ａ〜２Ｄ）：吸引式電極
３：電気信号線
１０：連結部
１０Ａ：第１横連結部
１０Ｂ：第２横連結部
１０Ｃ：第１縦連結部
１０Ｄ：第２縦連結部
１１：切欠部（弱化部）
２１：第１接続プラグ
２２：第２接続プラグ
５０：連結部（図１５）
６０：連結部（図１６）
７０：連結部（図１７）
１００：低周波治療器の本体
１０２：出力部
１１０：電極載置トレー
１２０：保持部
【図１】
2016063913.tif 000003
【図２】
2016063913.tif 000004
【図３】
2016063913.tif 000005
【図４】
2016063913.tif 000006
【図５】
2016063913.tif 000007
【図６】
2016063913.tif 000008
【図７】
2016063913.tif 000009
【図８】
2016063913.tif 000010
【図９】
2016063913.tif 000011
【図１０】
2016063913.tif 000012
【図１１】
2016063913.tif 000013
【図１２】
2016063913.tif 000014
【図１３】
2016063913.tif 000015
【図１４】
2016063913.tif 000016
【図１５】
2016063913.tif 000017
【図１６】
2016063913.tif 000018
【図１７】
2016063913.tif 000019
【図１８】
2016063913.tif 000020
【図１９】
2016063913.tif 000021
【図２０】
2016063913.tif 000022
【図２１】
2016063913.tif 000023
【図２２】
2016063913.tif 000024
【図２３】
2016063913.tif 000025
【図２４】
2016063913.tif 000026
【図２５】
2016063913.tif 000027